(57)【特許請求の範囲】
【請求項１】
軸筒内で芯ケースに連結したチャックをスプリングで引込み側に附勢し、そのチャックを第１の締めリングに係合した時に芯を把持し、チャックを前進して上記締めリングより離脱させた時に芯を開放し、更にチャックを前進して軸筒の前端に設けた口先部内で第２の締めリングにチャックの先端部を係合させた時に芯が把持され、その芯把持状態で後退可能となるように構成されたシャープペンシルに於いて、芯ケースの後端に設けたノック部を軸筒に対して前後退して上記チャックを第１の締めリングより係脱して口先部の先端から芯を繰り出し、少なくとも第２の締めリングにチャックの先端が係合する直前からダンパーが作動してノック力が急増すると共に、第２の締めリングにチャックの先端が係脱して口先部の先端から突出した芯を口先部内に収容するようにし、芯ケースの前方外周に設けられた突部と、その前方より芯ケースに被嵌されたスライド筒の内段との間にダンパー用のスプリングが弾発された状態でスライド筒の後端が芯ケースの突部に係止され、芯ケースと伴に前進してスライド筒の前端が軸筒に設けた段部に当接した時点で芯ケースのみが前進してダンパーが作動するように構成したことを特徴とするシャープペンシル。
【発明の詳細な説明】
【０００１】
【産業上の利用分野】
本発明は、軸筒内に備えたチャックで芯を把持して筆記するようにし、チャックの小ストロークで芯を口先部の先端から繰り出し、大ストロークで口先部内に芯を収納するように構成したシャープペンシルの改良に関する。
【０００２】
【従来の技術】
従来、この種のシャープペンシルはチャックと連結した芯ケースと接続してノック部が軸の後端より突出しており、そのノック部を小ストロークで軸推移させてチャックを第１の締めリングと係脱させて芯を軸先より突出させ、大ストロークで軸推移させてチャックを第２の締めリングに係合して後退させ、芯を軸先より収納させるようにしている。即ち、上記ストローク差を手加減で行っており、その為に芯を繰り出したい時に芯を収納してしまう問題がある。
また上記小ストロークと大ストロークを判別する為に、ノック部等にストロークの表示を設けたものも知られているが目加減、手加減に頼ったものであり不便差は解消されていない。
【０００３】
また上記問題点を解決する為に、軸筒内で芯ケースに連結したチャックをスプリングで引込み側に附勢し、そのチャックを第１の締めリングに係合したとき芯を把持し、チャックを前進して上記締めリングより離脱したときに芯を開放し、更にチャックを前進させたときに軸の先端内部に位置させた第２の締めリングにチャックの先端部を係合させて芯を把持したまま後退可能に構成したシャープペンシルに於いて、後軸の後端より突出したノック部の後端を軸推移して、上記チャックを第１の締めリングより係脱して軸先より芯を繰り出すと共に、軸筒を先軸と後軸とで回転自在に連結して構成し、上記芯ケースと後軸との間にカム部を形成して先軸に対して後軸を回転した時、第２の締めリングにチャックの先端を係合して後退させ、芯を軸先より収納するようにしたものが知られている。
この方法によって目加減、手加減による小ストロークと大ストロークの判別が確実となり誤動作の問題が解消されたが、操作性が面倒であるという新たな問題の発生となっている。
【０００４】
【発明が解決しようとする課題】
小ストロークと大ストロークの判別が容易で、且つ操作性のよいシャープペンシルを安価に提供可能とする。
【０００５】
【課題を解決するための手段】
本発明は、上記課題を達成する為に以下の構成を有する。請求項１に記載のシャープペンシルは、軸筒内で芯ケースに連結したチャックをスプリングで引込み側に附勢し、そのチャックを第１の締めリングに係合した時に芯を把持し、チャックを前進して上記締めリングより離脱させた時に芯を開放し、更にチャックを前進して軸筒の前端に設けた口先部内で第２の締めリングにチャックの先端部を係合させた時に芯が把持され、その芯把持状態で後退可能となるように構成されたシャープペンシルに於いて、芯ケースの後端に設けたノック部を軸筒に対して前後退して上記チャックを第１の締めリングより係脱して口先部の先端から芯を繰り出し、少なくとも第２の締めリングにチャックの先端が係合する直前からダンパーが作動してノック力が急増すると共に、第２の締めリングにチャックの先端が係脱して口先部の先端から突出した芯を口先部内に収容するようにし、芯ケースの前方外周に設けられた突部と、その前方より芯ケースに被嵌されたスライド筒の内段との間にダンパー用のスプリングが弾発された状態でスライド筒の後端が芯ケースの突部に係止され、芯ケースと伴に前進してスライド筒の前端が軸筒に設けた段部に当接した時点で芯ケースのみが前進してダンパーが作動するように構成したことを特徴とする。
【０００６】
請求項２に記載の発明に係るシャープペンシルは、請求項１に記載のシャープペンシルに於いて、芯ケースの前方外周に設けられた突部と、その前方より芯ケースに被嵌されたスライド筒の内段との間にダンパー用のスプリングが弾発された状態でスライド筒の後端が芯ケースの突部に係止され、芯ケースと伴に前進してスライド筒の前端が軸筒に設けた段部に当接し時点で芯ケースのみが前進してダンパーが作動するように構成されてなる。
【０００７】
【実施例】
図１乃至図３は本発明の実施例を示している。
軸筒１は先端の外周に螺子部を有した筒体で、その螺子部に口先部２が螺合されると共に、筆記の際に把持される軸筒１の前方外周と口先部の後方外周にかけてゴムまたは熱可塑性のエラストマーよりなるグリップ１１が設けられている。
【０００８】
またチャック３は、前端の芯把持部の外周に第１の締めリング５を被嵌した状態で軸筒１の前端部内孔に配設され、チャック３の後端が軸筒１内で芯ケース４の前端に連結されると共に軸筒の前段部１ａと芯ケース４の前端から適宜後方外周部に設けた段部４ａとの間にスプリング８が敷設されて、チャック３が軸筒１に対し引込み側に附勢されている。
【０００９】
また口先部２は、先端に芯を挿通する先端パイプ部２ａ（口先部と一体でも別体のパイプが取り付けられてもよい）を有し、内径部先端に芯を摩擦保持する保持チャック２ｂ（ゴム製の保持チャックを装着、あるいは樹脂製の口先部と一体に形成されてもよい。）が設けられ、その後方に第２の締めリング７が嵌装され、第２の締めリング７が所定の間隔で前後動可能となるように第２の締めリング７の前端が当接する段部と第２の締めリング７の後端が当接する止めリング６が固定されている。（樹脂製の口先部の場合には一体の突部として形成することが可能である。）また上記第１の締めリング５は口先部２の止めリング６の後端に当接する範囲で前後動する。その間隔が芯の繰り出し量を決定する主たる要素となる。（止めリングがない場合には当接する段部を形成する。）
【００１０】
また芯ケース４の前方外周に設けられた突部４ｂと、その前方より芯ケース４の外周部に被嵌されたスライド筒９の内段９ａとの間にダンパー用のスプリング１０が弾発された状態でスライド筒９の後端が芯ケース４の突部４ｂに係止される。
【００１１】
図に示すように、スライド筒９は筒体で内孔の前端に内段９ａを有し、その筒体の側面に後端に開口したスリット部９ｂが形成されている。スリット部９ｂは前方に向かって狭くなるテーパー部９ｄが形成され、そのテーパー部９ｄの前端に段部９ｃが形成されて、さらに段部９ｃの前方に前端が閉塞した矩形上の孔部９ｅが形成されてなる。またスリット部９ｂは、バランス上２箇所で設けられているが１箇所でも３箇所でもよい。
また上記芯ケース４に設けられた突部４ｂはスリット部９ｂに嵌挿する形状となされており、その突部４ｂがテーパー部９ｄを弾性的に拡開して段部９ｄの前面に突部４ｂが係止され、その突部４ｂが孔部９ｅの前端に当接する間隔で芯ケース４に対してスライド筒９は後退可能となされている。なお芯ケースにスライド筒を係止する手段は上記実施例に限定されないものである。
【００１２】
また芯ケース４の後端には消ゴム取付け台４ｃが一体に設けられ、その内孔部に消しゴム１３が止着されると共に外周部にキャップ１２が嵌着されて、その後端部がノック部となされている。
【００１３】
【作用】
本発明の構成は以上の通りであり、チャック３は第１の締めリング５に係合した時に芯を把持しており、キャップ１２の後端をノックしてチャック３と伴に第１の締めリングが前進し、第１の締めリング５が止めリング６の後端に当接して前進が阻止されるまで芯も前進する。またチャック３の締め付けが解除されることで芯の把持が開放される。以上のノック前進とノック解除による後退を繰り返すことにより芯は徐々に繰り出される。
【００１４】
またチャック３を最前進して軸筒１の前端に設けた口先部内で第２の締めリング７にチャックの先端部を係合させた時に芯が把持され、その芯把持状態が維持されて後退することによって口先部の先端パイプ２ａの先端から突出した芯が収容される。また第２の締めリング７にチャック３の先端が係合する直前から、芯ケース４と伴に前進したスライド筒９の前端が軸筒１に設けた後段部１ｂに当接して前進が阻止され、ダンパー用のスプリング１０が圧縮（ダンパーが作動）されてノック力が急増するので芯を繰り出す時のノック作動と、芯を収容する時のノック作動の差異が容易に把握できる。（因みに芯を繰り出す時のノック力は略４．４１Ｎで、芯を収容するノック力は略１０．７９Ｎである。）
【００１５】
【発明の効果】
本発明の構成及び作用は以上の通りであり、小ストロークと大ストロークの判別が容易となって、従来のこの種のシャープペンシルが芯の繰り出しと芯の収容の為のチャックのストローク差をノック部を目加減、手加減によって行っている為に、意図しないで芯を繰り出したりする問題が解消される。
また芯の繰り出しと芯の収容の為のストローク差を簡単な構造でノック力の差異を明確にすることで達成でき、操作性のよいシャープペンシルを安価に提供することが可能となる。
【図面の簡単な説明】
【図１】本発明の一実施例であるシャープペンシルの縦半断面図である。
【図２】同シャープペンシルの芯ケースを示す半断面図である。
【図３】本発明の要旨となるスライド筒の半断面図である。
【符号の説明】
１  軸筒
１ａ  前段部
１ｂ  後段部
２  口先部
２ａ  先端パイプ部
２ｂ  保持チャック
３  チャック
４  芯ケース
４ａ  段部
４ｂ  突部
４ｃ  消しゴム取付け台
５  第１の締めリング
６  止めリング
７  第２の締めリング
８  スプリング
９  スライド筒
９ａ  内段
９ｂ  スリット部
９ｃ  テーパー部
９ｄ  段部
９ｅ  孔部
１０  ダンパー用のスプリング
１１  グリップ
１２  キャップ
１３  消しゴム
【図１】
0004565729.tif 000002
【図２】
0004565729.tif 000003
【図３】
0004565729.tif 000004